(57)【要約】【課題】  軟質ガラスとの気密封着性が確実に確保できるとともに水銀との反応を抑制して、封着部のリーク発生を防止できる安価な冷陰極電極部材およびこの電極部材を用いた冷陰極放電ランプならびにこの放電ランプを装着した照明装置を提供することを目的とする。【解決手段】  鉄・ニッケル合金からなる芯線６１の表面にニッケル、銅または銅、ニッケル、銅を順次被覆し、熱処理によって銅をニッケル層中に拡散させて形成した銅・ニッケル合金からなる表層を有する封着用リード線６Ａと、この封着用リード線６Ａの一端に接続された冷陰極７Ａとを備えている冷陰極電極部材５Ａおよびこの冷陰極電極部材５Ａを用いた冷陰極放電ランプＬならびにこの冷陰極放電ランプＬを装着した照明装置９Ａである。【選択図】  図２
2008277148.tif 000002
【特許請求の範囲】
【請求項１】
鉄・ニッケル合金からなる芯線の表面にニッケル、銅または銅、ニッケル、銅を順次被覆し、熱処理によって銅をニッケル層中に拡散させて形成した銅・ニッケル合金からなる表層を有する封着用リード線と；
この封着用リード線の一端に接続された冷陰極と；
を具備していることを特徴とする冷陰極用電極部材。
【請求項２】
冷陰極が、有底筒状のカップ状電極であることを特徴とする請求項１記載の冷陰極用電極部材。
【請求項３】
封着用リード線の他端側には外部リード線が接続されていることを特徴とする請求項１または２記載の冷陰極用電極部材。
【請求項４】
軟質ガラス製の管形バルブと；
このバルブの両端にそれぞれ封着用リード線が気密に封着された請求項１ないし３のいずれか一記載の冷陰極用電極部材と；
上記バルブ内に封入された放電媒体と；
を具備していることを特徴とする冷陰極放電ランプ。
【請求項５】
筐体と；
この筐体に付設された請求項４記載の冷陰極放電ランプと；
この冷陰極放電ランプの点灯回路装置と；
を具備していることを特徴とする照明装置。
【発明の詳細な説明】
【技術分野】
【０００１】
本発明は、冷陰極用電極部材、この電極部材を用いた冷陰極放電ランプおよびこの冷陰極放電ランプを装着した照明装置に関する。
【背景技術】
【０００２】
液晶テレビやパソコンなどの液晶表示装置のバックライトあるいはファクシミリなどのＯＡ機器の光源として、寿命が長く発熱温度も低い冷陰極蛍光ランプが多く使用されている。
【０００３】
この冷陰極蛍光ランプは、例えば内面に蛍光体膜が形成されたホウケイ酸ガラスなどの硬質ガラスからなるガラス管バルブの両端部にカップ状の冷陰極を接続したモリブデン（Ｍｏ）、タングステン（Ｗ）やコバール（鉄（Ｆｅ）・ニッケル（Ｎｉ）・コバルト・（Ｃｏ））などからなる封着用線材を気密に封着し、バルブ内に水銀を含む放電媒体を封入して構成されている。
【０００４】
このような構成の冷陰極蛍光ランプは、機器の小形化や高性能化に対応できるが、ガラス管バルブの材質が硬質ガラスであるとともにバルブ端部に気密封着される封着用線材がモリブデン（Ｍｏ）、タングステン（Ｗ）やコバール（鉄（Ｆｅ）・ニッケル（Ｎｉ）・コバルト・（Ｃｏ））などが用いられているため材料費が高価であるとともに加工も手間を要するなど、硬質バルブを用いた場合は他の部材や加工性を含めコストアップを招いていた。
【０００５】
そこで本発明者等は、硬質ガラスに代えて安価な軟質ガラスからなるガラス管バルブを用い冷陰極蛍光ランプを得ることを種々検討した。
【０００６】
ガラス管バルブをソーダライムガラスなどの軟質ガラスで形成した場合には、このガラスと膨張率などが近似したジュメット線や鉄（Ｆｅ）・ニッケル（Ｎｉ）合金線などが封着用線材として用いることができる。
【特許文献１】特許第３４２３７２９号公報（特開平５−１２１０５１号公報）
【発明の開示】
【発明が解決しようとする課題】
【０００７】
しかし、上記ジュメット線は鉄（Ｆｅ）・ニッケル（Ｎｉ）合金からなる芯線の表面に銅（Ｃｕ）を被覆したものからなるが、冷陰極蛍光ランプの封着用線材として用いた場合、軟質ガラスとの気密封着性はよいがバルブ内に銅層があると放電媒体として封入した水銀と反応してアマルガムを生成し、バルブ内端部の封着用線材において生成したこのアマルガムが封着部内に浸透して気密貫通する封着用線材と封着部ガラスとの間に剥離が起こり、封着用線材部分からリークを生じてランプの短寿命を招くことがある。
【０００８】
また、鉄（Ｆｅ）・ニッケル（Ｎｉ）合金線は、線材から微量のガス放出がありガラスと封着を行った場合、極微細な気泡が発生し封着の信頼性を損うことがあった。この改良として合金線の表面にニッケル（Ｎｉ）被覆を施しガスの放出を抑えた封着用リード線も知られているが、ニッケル（Ｎｉ）層は上記銅（Ｃｕ）層に比べガラス層への金属酸化物の拡散が少なく封着部の機械的強度が弱く封着の信頼性が劣るなどの不具合がある。
【０００９】
さらに、上記ジュメット線の芯線の表面にニッケル（Ｎｉ）被覆を施した封着用リード線材は、極微細な気泡の発生は解消されるが、ニッケル（Ｎｉ）酸化物の拡散が少ないことから機械的強度が弱く封着の信頼性が劣るなどのことがある。
【００１０】
上述したようにジュメット線や鉄（Ｆｅ）・ニッケル（Ｎｉ）合金線の表層をニッケル（Ｎｉ）層とした場合には、バルブ内に封入した水銀との反応や気泡の発生などの不具合があった。
【００１１】
そこで本発明者等は、軟質ガラスとの気密封着性が確実に確保できるとともに水銀と反応してアマルガムの生成を抑制できる封着用線材を種々究明した結果、冷陰極放電ランプに好適する封着用リード線があることを見出した。
【００１２】
すなわち、特許文献１に記載されている鉄（Ｆｅ）・ニッケル（Ｎｉ）合金線の表面にニッケル（Ｎｉ）、銅（Ｃｕ）を順次被覆し最外表層に銅（Ｃｕ）が拡散されたニッケル（Ｎｉ）層を有する封着用リード線を用いることにある。
【００１３】
本発明は、軟質ガラスとの気密封着性が確実に確保できるとともに水銀との反応を抑制して、封着部のリーク発生を防止できる安価な冷陰極電極部材およびこの電極部材を用いた冷陰極放電ランプならびにこの放電ランプを装着した照明装置を提供することを目的とする。
【課題を解決するための手段】
【００１４】
本発明の請求項１に記載の冷陰極用電極部材は、鉄・ニッケル合金からなる芯線の表面にニッケル、銅または銅、ニッケル、銅を順次被覆し、熱処理によって銅をニッケル層中に拡散させて形成した銅・ニッケル合金からなる表層を有する封着用リード線と、この封着用リード線の一端に接続された冷陰極とを具備していることを特徴とする。
【００１５】
軟質ガラスと膨脹率が近似した芯線の最外表面に銅（Ｃｕ）が拡散されたニッケル（Ｎｉ）（銅（Ｃｕ）・ニッケル（Ｎｉ）合金）層を形成した軟質ガラスとの封着用リード線に冷陰極を溶接により接続した電極部材であって、軟質ガラスとの気密封着性にすぐれている。
【００１６】
なお、本発明でいう銅（Ｃｕ）が拡散されたニッケル（Ｎｉ）層と、銅（Ｃｕ）・ニッケル（Ｎｉ）合金層とは同意語である。
【００１７】
また、封着用リード線の芯線を構成する鉄とニッケルとの混合比率および芯線の表面に形成するニッケル、銅層の厚さは、気密封着される軟質ガラスの特性に対処して決めることができる。
【００１８】
本発明の請求項２に記載の冷陰極用電極部材は、冷陰極が、有底筒状のカップ状電極であることを特徴とする
有底筒状のカップ状電極の底面部と封着用リード線の一方の端面とを突合せ両者を溶融溶接することにより接続した電極部材であって、封着用リード線の表層には酸化膜が形成されていないので、抵抗溶接の際、酸化層の除去が不要または軽減できる。また、カップ状電極はホローカソード作用を奏する。
【００１９】
本発明の請求項３に記載の冷陰極用電極部材は、封着用リード線の他端側には外部リード線が接続されていることを特徴とする。
【００２０】
外部リード線と封着用リード線とが突合せ溶接されるが、この場合も上記請求項２に記載と同様な作用を奏する。
【００２１】
本発明の請求項４に記載の冷陰極放電ランプは、軟質ガラス製の管形バルブと、このバルブの両端にそれぞれ封着用リード線が気密に封着された請求項１ないし３いずれか一記載の冷陰極用電極部材と、上記バルブ内に封入された放電媒体とを具備していることを特徴とする。
【００２２】
上記請求項１ないし３記載の作用を奏する電極部材を備えた冷陰極放電ランプであって、
軟質ガラスからなるガラス管バルブと、最外層を銅（Ｃｕ）が拡散したニッケル（Ｎｉ）層とした封着用リード線とは、封着時、両者の膨脹率が近似しているとともにリード線が加熱されると表面に酸化第一銅が形成されてガラスとの馴染みがよく、かつ、酸化第二銅の形成が少ないので、封着後のリーク発生を低減できる。
【００２３】
また、バルブ内において封着部と冷陰極電極との間に露出している封着用リード線は、表層がニッケル（Ｎｉ）・銅（Ｃｕ）合金であるためバルブ内に封入した水銀との反応に起因する封着部を気密貫通するリード線を介してのリークを生じることがない。
【００２４】
本発明の請求項５に記載の照明装置は、筐体と、この筐体に付設された請求項４記載の冷陰極放電ランプと、この冷陰極放電ランプの点灯回路装置とを具備していることを特徴とする。
【００２５】
上記請求項４記載の作用を奏する冷陰極放電ランプを備えた照明装置である。
【発明の効果】
【００２６】
請求項１記載の発明によれば、軟質ガラスとの気密封着性に優れた冷陰極電極部材を提供することができる。
【００２７】
請求項２記載の発明によれば、封着用リード線とカップ状電極との溶接が容易で、高いホローカソード効果を有するとともに上記請求項１記載の効果を呈する冷陰極電極部材を提供できる。
【００２８】
請求項３記載の発明によれば、封着用リード線と外部リード線との溶接や端子部材への配線や接続を容易に行うことができる。
【００２９】
請求項４記載の発明によれば、ランプ構成材料費およびリーク不良に起因する短寿命発生の低減がはかれた安価で、かつ、気密封着性に優れた冷陰極放電ランプを提供することができる。
【００３０】
上記請求項５記載の効果を呈する冷陰極放電ランプを備えた照明装置を提供することができる。
【発明を実施するための最良の形態】
【００３１】
以下、本発明の実施の形態を図面を参照して説明する。図１は冷陰極蛍光ランプを示す一部切欠断面図、図２は図１中の蛍光ランプに用いられている冷陰極用電極部材を示す正面図、図３は図２中に示す電極部材を構成する封着用リード線の拡大横断面図である。
【００３２】
図１に示す冷陰極蛍光ランプＬは、例えば定格消費電力が５Ｗで、直管形をなすガラス管バルブ１は外径が約４ｍｍ、内径が約３ｍｍ、長さが約１０００ｍｍのソーダライムガラス（膨張率約９６Ｘ１０-6／℃）などの軟質ガラスからなり、ガラス管バルブ１の内面には例えば青色、緑色、赤色に発光領域を有する蛍光体を混合塗布した３波長形蛍光体膜４が形成されている。
【００３３】
また、このガラス管バルブ１の両端には、ソーダライムガラスからなるビード３を介し後述する冷陰極用電極部材５Ａを封止した封着部２，２が形成してあるとともにバルブ１内にはアルゴン（Ａｒ）、キセノン（Ｘｅ）やネオン（Ｎｅ）などの希ガスが約８ｋＰａと水銀（Ｈｇ）とからなる放電媒体が封入され冷陰極蛍光ランプＬを構成している。
【００３４】
上記冷陰極電極部材５Ａは、図２および図３に示すようにソーダライムガラスと気密封着性の高い例えば外径が約０．８ｍｍ、長さが約５ｍｍの封着用リード線６Ａと、この封着用リード線６Ａの一端に接続された例えば板厚が約０．２ｍｍのニッケル（Ｎｉ）薄板を用いプレス加工によって外径が約１．７ｍｍ、長さが約５．０ｍｍの有底円筒状に成形されたカップ状電極７Ａと、封着用線材５の他端に接続された例えば線径が約０．８ｍｍの鉄（Ｆｅ）―ニッケル（Ｎｉ）合金からなる外部リード線８とで構成されている。
【００３５】
また、この発明では上記封着用リード線６Ａは、図３にその横断面を拡大して示すように、例えば鉄（Ｆｅ）約４８質量％・ニッケル（Ｎｉ）約５２質量％合金（膨張率約９６Ｘ１０-6／℃）からなる外径が約０．８ｍｍの芯線６１の表面に、それぞれめっきなどの手段でニッケル（Ｎｉ）を約８μの厚さ被覆し、このニッケル（Ｎｉ）層６２の表面に銅（Ｃｕ）を約１μの厚さ被覆し銅（Ｃｕ）層６３を形成して、その後、約９００度で熱処理を行ったものを用いている。
【００３６】
そして、冷陰極電極部材５Ａを構成する封着用リード線６Ａと、カップ状電極７Ａとの接続は、封着用リード線６Ａの一方の先端面と、カップ状電極７Ａの筒底外面とを対面当接し、所定の突き合わせ圧（当接圧力）および電流を加え当接面で抵抗発熱を生起させ両者を融合した溶接をしている。
【００３７】
また、上記封着用リード線６Ａと鉄（Ｆｅ）−ニッケル（Ｎｉ）合金線からなる外部リード線８との接続も、両部材６Ａ，８の端面を当接し所定の突き合わせ圧（当接圧力）および電流を加えた抵抗溶接をする。
【００３８】
上記の各溶接部は、融点の低い金属側が多く溶けるが融合し、この溶接した接続部が冷めると瘤状の塊７１，８１が形成された冷陰極電極部材５Ａが得られる。また、封着用リード線６Ａの表層には酸化層が形成されていないので、抵抗溶接の際、酸化層を除去することが不要かまたは軽減できる。
【００３９】
なお、電極部材５Ａは封着用リード線６Ａと、カップ状電極７Ａとの接続、封着用リード線６Ａと外部リード線８との接続作業の順序は問わないし、これら3者を同時に接続するようにしてもよい。
【００４０】
また、図中２に示すように上記冷陰極電極部材５Ａの封着用リード線６Ａの外表面に、ガラス管バルブ１と膨張率が近いかバルブ１と封着用リード線６Ａとの中間の膨脹率値を有するガラス材料、例えばソーダライムガラスからなるガラス層ないしはビード（塊）３を気密体（層）として形成しておいてもよい。
【００４１】
そして、上記冷陰極電極部材５Ａは蛍光体膜４を形成したガラス管バルブ１端部内のほぼ中心軸に沿ってカップ状電極７Ａおよび封着用リード線６Ａ部を配設して、封着用リード線６Ａ部が対応しているガラス管バルブ１部分をガスバーナーなどで外部から加熱し、バルブ１のガラスおよびビード３を軟化溶融させ、バルブ１側のガラスを縮径してビード３の表面と融合したガラス管バルブ１との封着を行う。このとき封着用リード線６Ａはガラスと気密封着されるが、外部リード線８の基部はガラスと気密には封着されていない。
【００４２】
この後、ガラス管バルブ１内は図示しない排気管を介し排気し、内部に希ガスおよび水銀からなる放電媒体を封入して排気管が封切され、必要に応じてバルブ１端部に口金を接合して冷陰極蛍光ランプＬが完成される。
【００４３】
上述した冷陰極蛍光ランプＬは、ソーダライムガラスからなるガラス管バルブ１と、熱処理して最外表層を銅（Ｃｕ）が拡散したニッケル（Ｎｉ）層の銅（Ｃｕ）・ニッケル（Ｎｉ）合金とした封着用リード線６Ａとは、封着時、両者の膨脹率が近似しているとともにリード線６Ａが加熱されると表面に酸化第一銅が形成されてガラスとの馴染みがよく、かつ、酸化第二銅の形成が少ないので、封着後のリーク発生を低減できる。
【００４４】
また、バルブ１内において封着部３とカップ状電極７Ａとの間に露出している封着用リード線６Ａは、表層がニッケル（Ｎｉ）・銅（Ｃｕ）合金であるためバルブ１内に封入した水銀との反応によるアマルガム生成に起因する封着部２を気密貫通するリード線５Ａのガラスとの剥離が起こらず、したがって、リークを生じることがなくランプＬの短寿命発生を防止できる。
【００４５】
さらに、本発明では冷陰極としてカップ状の電極を用いているので、高いホローカソード効果を呈する発光特性および寿命特性の向上した蛍光ランプＬを提供できる。
【００４６】
したがって、本発明に関わる上記冷陰極電極部材５Ａおよびこの電極部材５Ａを用いた冷陰極蛍光ランプＬは、ガラス管バルブ１の材質を硬質ガラスから軟質ガラスに代えるとともにバルブ１との封着部２に最外表層をニッケル（Ｎｉ）・銅（Ｃｕ）合金で形成したリード線６Ａを封着線とすることによって、封着時、ガラス中に銅酸化物が拡散し強固で気密性の高い封着が得られるとともにバルブ１内に封入した水銀とのアマルガム生成によるランプＬの短寿命を防止でき、しかもコストの低減がはかれる。
【００４７】
特に、この封着用のリード線６Ａは、芯線の表面にニッケル（Ｎｉ）と銅（Ｃｕ）を順次被覆し、熱処理によって銅（Ｃｕ）をニッケル（Ｎｉ）層中に拡散させているので、外層がニッケル（Ｎｉ）である場合に比べて、外層にある熱伝導性の高い銅（Ｃｕ）の影響で外層全周が均一な温度となりやすいために、均一な銅（Ｃｕ）拡散をしている。
【００４８】
また、図４は本発明の冷陰極電極部材の他の実施の形態を示す正面図で、図中、図２，３と同一部分には同一の符号を付してその説明は省略する。
【００４９】
この図４に示す冷陰極電極部材５Ｂは、上記封着用リード線６Ａに、例えばニッケル（Ｎｉ）棒（線）からなる冷陰極７Ｂが上述した実施の形態と同様な手段で溶接接続して構成されている。なお、８は封着用リード線６Ａの他端に接続された例えば鉄（Ｆｅ）・ニッケル（Ｎｉ）合金からなる外部リード線である。
【００５０】
この冷陰極電極部材５Ｂの場合も、バルブ１内に延在する封着用リード線６Ａの部分が
水銀と反応することが少なく封着用リード線６Ａに起因するリークがなく、ランプＬの短寿命の発生を低減できる。
【００５１】
また、図５は本発明の冷陰極電極部材を構成する封着用リード線の他の実施の形態を示す横断面図で、図中、図３と同一部分には同一の符号を付してその説明は省略する。
【００５２】
この封着用リード線６Ｂは、例えば鉄（Ｆｅ）・ニッケル（Ｎｉ）合金からなる芯線６１の表面に、それぞれめっきなどの手段で銅（Ｃｕ）層６４を被覆し、この銅（Ｃｕ）層６４上にニッケル（Ｎｉ）層６２、このニッケル（Ｎｉ）層６２の上に銅（Ｃｕ）層６３を被覆し、その後、熱処理を行い形成したものである。
【００５３】
そして、この封着用リード線６Ｂを用い冷陰極７Ａまたは７Ｂを接続して冷陰極電極部材５Ｂを構成した場合は、封着用リード線６Ｂのニッケル（Ｎｉ）層６２が銅（Ｃｕ）層６４，６３に挟まれた状態で熱処理されているので合金がより生成されやすく、この封着用リード線６Ｂを用い組み立てた冷陰極蛍光ランプも、上記実施の形態に示す蛍光ランプＬと同様な作用効果が得られた。
【００５４】
上記冷陰極蛍光ランプＬは、例えば液晶を用いるテレビやパソコンなどのバックライトの照明装置（光源）として用いられる。すなわち冷陰極蛍光ランプＬは、図６（ａ），（ｂ）に示すような照明装置に組み込み使用される。図６（ａ）は導光方式の照明装置９Ａの実施の形態を示す一部断面斜視図である。
【００５５】
図６（ａ）において、９１は冷陰極蛍光ランプＬを装着した断面がＵ字状の樋形反射鏡を兼ねる筐体、９２はアクリル樹脂などからなる導光板、９３，９４は導光板９２の底面および側面や導光板９２の収容ケース（図示しない）内に形成した反射シート、９５は
導光板９２の上面側に配設された光拡散板で、これらは図示しない上記収容ケースなどの内部に点灯回路装置（図示しない）とともに組み込まれている。
【００５６】
この導光方式の照明装置９Ａは、冷陰極蛍光ランプＬの直射光および反射鏡９１からの反射光が導光板９２に入射し、導光板９２を透過して底面あるいは側面に達した光線が反射シート９３，９４によって反射され、導光板９２の上面に向かう。この導光板９２の上面から光拡散板９５に入射した光は、光拡散板９５の上面から拡散して例えば液晶パネルＰに向けて放射される。
【００５７】
また、図６（ｂ）は反射板方式の照明装置９Ｂの分解斜視図で、反射鏡を兼ねる筐体９６内に複数本の冷陰極蛍光ランプＬ，…が装着配置されているとともに筐体９６の開口部に光拡散板９５が載置され、これらは図示しない器具本体などの内部に点灯回路装置とともに組み込まれている。
【００５８】
そして、この照明装置９Ｂでは、冷陰極蛍光ランプＬ，…からの直射光および反射鏡９６からの反射光が光拡散板９５に入射し、光拡散板９５の上面から拡散して放射される。
【００５９】
なお、これら照明装置９Ａ，９Ｂは、パーソナルコンピューターや液晶テレビなどの液晶表示装置または所定のディスプレイ装置が形成された表示板のバックライト用の光源部、あるいは一般照明用器具として使用される。
【００６０】
そして、これら照明装置９Ａ，９Ｂは、コストの低減がはかれた冷陰極蛍光ランプＬを用いているので、従来と同等以上の品質性能を維持していながらコストの低減ができる。
【００６１】
なお、本発明は上記実施の形態に限定されるものではない。本発明が適用できる冷陰極放電ランプは、蛍光ランプに限らず希ガス発光形のランプや紫外線放射ランプがあり、ガラス管バルブの材質は、封着用リード線と膨脹率が近似しているソーダライムガラスや鉛ガラスなどの軟質ガラスからなるものを用いることができる。
【００６２】
また、このバルブ（ランプ）の形状は直管形に限らず、Ｕ字形、Ｗ字形、環形など屈曲したもの、直管を複数本直列的に接続して成形した形状などでもよく、また、封着部はビードを介して行うものに限らず、封着用線材を直接バルブと封止するガラス管をバーナなどで縮径していく絞り封止や金型を用いた圧潰封止などで形成したものであっても差し支えなく、また、バルブの内面または外面に反射膜、着色膜や保護膜などが形成してあってもよい。
【００６３】
冷陰極電極部材を構成する封着用リード線の材質は上記実施の形態に示したものに限らず、材質の選択は用いられるガラス管バルブの膨張率や電気的特性に合わせ行うことができる。
【００６４】
また、上記封着用リード線と突き合わせ溶接されるカップ状電極や棒（線）状電極などの冷陰極の材質はニッケル（Ｎｉ）に限らず、ニオブ（Ｎｂ）あるいはこれら金属を主成分とした合金からなるものを用いることもできる。また、冷陰極には、ホウ化ランタン（ＬａＢ6）などの易電子放射性物質を付着や充填しておくことによって、放電の生起を容易にして始動特性を高めることができる。
【００６５】
また、上記実施の形態では冷陰極電極部材を構成する封着用リード線の他端側に接続した外部リード線は鉄（Ｆｅ）−ニッケル（Ｎｉ）合金線で形成したが材質はこれに限らずニッケル（Ｎｉ）、鉄（Ｆｅ）やニッケル（Ｎｉ）−マンガン（Ｍｎ）あるいは外表面に銅（Ｃｕ）を被覆したニッケル（Ｎｉ）や鉄（Ｆｅ）−ニッケル（Ｎｉ）合金などからなる線材であってもよい。
【００６６】
また、上記外表面に銅（Ｃｕ）を被覆した線材は、溶融後、固化した溶接部の表面が外部リード線と同色の酸化銅で覆われているので溶接強度の向上がはかれるとともに耐酸化性およびはんだ付けなどにも優れた品質の向上した冷陰極電極部材を提供できる。
【００６７】
なお、上記外部リード線は、ガラス管バルブの端部に接合される口金の端子部あるいは照明装置の端子部などと電気的接続がなされるが、このとき上記鉄（Ｆｅ）−ニッケル（Ｎｉ）合金線などは屈曲や接続が容易にでき作業性もよい利点がある。
【００６８】
さらに、本発明に関わる照明装置は、液晶表示装置、液晶テレビや装飾装置などのバックライト用の他、ファクシミリなどの読取用、複写機の露光用あるいは一般照明用の器具や灯具などに装着して使用できるものである。
【図面の簡単な説明】
【００６９】
【図１】本発明の冷陰極蛍光ランプの実施の形態を示す一部切欠断面図である。
【図２】図１中の蛍光ランプに用いられている冷陰極電極部材を示す正面図である。
【図３】図２中に示す冷陰極電極部材を構成する封着用リード線の拡大横断面図である。
【図４】本発明の冷陰極電極部材の他の実施の形態を示す正面図である。
【図５】本発明の冷陰極電極部材を構成する封着用リード線の他の実施の形態を示す拡大横断面図である。
【図６】図（ａ）および図（ｂ）は本発明の照明装置の実施の形態を示す一部切欠断面図である。
【符号の説明】
【００７０】
Ｌ：冷陰極蛍光ランプ
１：ガラス管バルブ
２：封着部
５Ａ，５Ｂ：冷陰極電極部材
６Ａ，６Ｂ：封着用リード線
６１：芯線
６２，６４：銅
６３：ニッケル層
７Ａ：冷陰極（カップ状電極）
７Ｂ：冷陰極（カップ状電極）
８：外部リード線
９Ａ，９Ｂ：照明装置
【図１】
2008277148.tif 000003
【図２】
2008277148.tif 000004
【図３】
2008277148.tif 000005
【図４】
2008277148.tif 000006
【図５】
2008277148.tif 000007
【図６】
2008277148.tif 000008